(57)【要約】  音声伝達のための２つの開口部（１ａ，１ｂ）を有する前方実装プレート（１）と、各々が開口部の１つを通じて音声伝達するための前方実装プレートに取り付けられた２つのラウドスピーカ（３ａ，３ｂ）と、前方実装プレート（５）に平行に延びる後方実装プレートと、２つの容器ボディ（７ａ，７ｂ）とを有するポータブルスピーカ装置。これらボディは、互いに軸方向に移動可能な分離した複数の環状容器部材（１１ａ１〜１１ａ５，１１ｂ１〜１１ｂ５）により各々が形成される。各容器ボディの部材は、ラウドスピーカのうちの１つと取り囲む関係で前方実装プレートに取り付けられた前方部材（１１ａ１；１１ｂ１）と、後方実装プレートに取り付けられた後方部材（１１ａ５；１１ｂ５）とを有する。スピーカ装置の非動作ポジションにおいて、実装プレートは、互いに近接して延在し、これにより容器ボディは、畳み込まれた形を呈して、当該装置は非常にコンパクトになる。スピーカ装置の動作ポジションにおいて、実装プレートは、互いに離れて延在し、容器ボディは、伸張された形を呈し音響キャビネット（１３ａ，１３ｂ）を形成する。
2007534256.tif 000002
【特許請求の範囲】
【請求項１】
ポータブルスピーカ装置であって、
・音響伝達のための２つの開口部を有する前方実装プレートと、
・各々が前記開口部の１つを通じて音声伝達するための前記前方実装プレートに取り付けられた２つのラウドスピーカと、
・前記前方実装プレートに略平行に延びる後方実装プレートと、
・互いに軸方向に移動可能な分離した複数の環状容器部材により各々が形成された２つの容器ボディと、
を有し、
その各容器ボディの部材のうちの前方部材は、前記ラウドスピーカのうちの１つと取り囲む関係で前記前方実装プレートに取り付けられ、当該部材のうちの後方部材は、前記後方実装プレートに取り付けられ、当該スピーカ装置の非動作ポジションにおいて、前記実装プレートは、互いに近接して延在し、前記容器ボディは、畳み込まれた形を呈し、当該スピーカ装置の動作ポジションにおいて、前記実装プレートは、互いに離れて延在し、前記容器ボディは、伸張された形を呈し各々が音響キャビネットを形成する、
スピーカ装置。
【請求項２】
請求項１に記載のスピーカ装置であって、前記容器ボディがそれらの畳み込まれた形を呈する状態において、各容器ボディの、前記前方部材又は前記後方部材から離れた前記容器部材の全ては、それぞれ関係する前方部材及び後方部材に位置づけられる、スピーカ装置。
【請求項３】
請求項１に記載のスピーカ装置であって、前記容器ボディがそれらの伸張された形を呈する状態において、各容器ボディの前記容器部材の全ては、気密性の堅い音響キャビネットを共に形成する、スピーカ装置。
【請求項４】
請求項１に記載のスピーカ装置であって、前記容器部材の各々は、前記実装プレートの一方に向けられた上部と他方の実装プレートに向けられた底部とを有する略切頭形円錐状ボディの形を呈する、スピーカ装置。
【請求項５】
請求項１に記載のスピーカ装置であって、前記後方実装プレートは、音響伝達のための２つの孔を有し、これら孔の各々には、受動型ラジエータが設けられ、各容器ボディの前記後方部材は、前記受動型ラジエータの１つと取り巻きの関係で構成される、スピーカ装置。
【請求項６】
ポータブルスピーカ装置であって、
・音響伝達のための開口部を有する前方実装プレートと、
・前記開口部を通じて音声伝達するための前記前方実装プレートに取り付けられた少なくとも１つのラウドスピーカと、
・前記前方実装プレートに略平行に延びる後方実装プレートと、
・互いに軸方向に移動可能な分離した複数の環状容器部材により形成された容器ボディと、
を有し、
前記部材のうちの前方部材は、前記ラウドスピーカと取り囲む関係で前記前方実装プレートに取り付けられ、当該部材のうちの後方部材は、前記後方実装プレートに取り付けられ、当該スピーカ装置の非動作ポジションにおいて、前記実装プレートは、互いに近接して延在し、前記容器ボディは、畳み込まれた状態となり、当該スピーカ装置の動作ポジションにおいて、前記実装プレートは、互いに離れて延在し、前記容器ボディは、伸張された状態となり音響キャビネットを形成し、前記容器部材は、前記実装プレートの一方に向けられた上部と他方の実装プレートに向けられた底部とを有する略切頭形円錐状ボディの形を呈する、スピーカ装置。
【請求項７】
請求項６に記載のスピーカ装置であって、ラウドスピーカの数は２である、スピーカ装置。
【請求項８】
請求項６に記載のスピーカ装置であって、前記容器ボディの伸張状態において、前記容器部材は、気密性の堅い音響キャビネットを共に形成する、スピーカ装置。
【請求項９】
請求項１又は６に記載のスピーカ装置であって、前記２つのラウドスピーカ及び前記少なくとも１つのラウドスピーカはそれぞれ、規定の周波数範囲において主に動作可能であり、その他の周波数範囲において主として動作可能な少なくとも１つの付加的なオーディオ再生手段が設けられる、スピーカ装置。
【発明の詳細な説明】
【技術分野】
【０００１】
本発明は、スピーカ装置に関し、特にポータブルコンピュータ、ポータブルＣＤ及び／又はＤＶＤプレーヤなどへの付属品として適したポータブル装置に関する。
【背景技術】
【０００２】
米国特許出願公開に係る文献のＵＳ−Ａ５，０８２，０８４には、実装ボードに取り付けられたスピーカと伸縮性の音響室部アセンブリとを有する音響筐体が開示されている。この実装ボードには、音波伝達のための中央孔が設けられている。スピーカは、この孔を取り巻き、当該音響室部アセンブリの管状主部に延び、当該主部は、当該実装ボードに付けられている。この音響室部アセンブリは、互いにスライド可能な伸縮式のものとされ当該主部内に収縮ポジションを当該主部外に伸張ポジションを有する３つの中空管状伸縮部材を有する。これら伸縮部材の１つ、すなわち当該主部から最も離れたその伸張ポジションにある部材は、閉じた底面を形成する縁が設けられ、引き手リングが設けられている。これら伸縮部材には、突起と、当該主部の中又は外に当該部材が移動する間に当該突起と協働して動作するガイド溝とが設けられる。伸張ポジションにおいて、当該主部及び伸縮部材は、共鳴音響容器を形成する。
【０００３】
この既知の音響筐体は、モノラルのオーディオが望まれる用途に適している。しかし、ステレオ音声が必要な場合は、この既知の装置は不適切である。
【発明の開示】
【発明が解決しようとする課題】
【０００４】
よって本発明の目的は、冒頭の段落に記述した種類のコンパクトなポータブルスピーカ装置であって、ステレオ音声を再生することができるものを提供することである。
【課題を解決するための手段】
【０００５】
この目的は、本発明によるスピーカ装置により達成されるものであり、かかるスピーカ装置は、ポータブルスピーカ装置であって、・音響伝達のための２つの開口部を有する前方実装プレートと、・各々が前記開口部の１つを通じて音声伝達するための前記前方実装プレートに取り付けられた２つのラウドスピーカと、・前記前方実装プレートに略平行に延びる後方実装プレートと、・互いに軸方向に移動可能な分離した複数の環状容器部材により各々が形成された２つの容器ボディと、を有し、その各容器ボディの部材のうちの前方部材は、前記ラウドスピーカのうちの１つと取り囲む関係で前記前方実装プレートに取り付けられ、当該部材のうちの後方部材は、前記後方実装プレートに取り付けられ、当該スピーカ装置の非動作ポジションにおいて、前記実装プレートは、互いに近接して延在し、前記容器ボディは、畳み込まれた形を呈し、当該スピーカ装置の動作ポジションにおいて、前記実装プレートは、互いに離れて延在し、前記容器ボディは、伸張された形を呈し各々が音響キャビネットを形成するものである。
【０００６】
このように、本発明によるスピーカ装置は、平行又は実質的に平行な２つの実装プレートを有し、これらプレートの間に畳み込み式の引き出し可能な２つの容器ボディが挟まれている。当該装置の非使用の間、例えば移動中において、当該容器ボディは、畳み込まれた状態となり、平行な実装プレートは、互いに近接して延びる形となり小型のポータブルユニットとなる。再生動作においては、スピーカ装置は、ＤＶＤプレーヤやラップトップなどの音声信号発生装置に電気的に接続され、当該容器ボディは、引き出されたポジションとなり、共鳴音キャビネットを形成し、当該環状容器部材は、同軸ポジションとなる。この状態において、本発明によるスピーカ装置は、高音質の音楽再生及びその他のタイプの複合オーディオ再生をなすことができる。平行な２つの実装プレートの存在により、当該装置を畳み込まれた状態から引き出された状態へ、或いはこの逆に移行させることが非常に簡単となる。当該プレートに直角な方向における、すなわち、当該容器ボディの軸方向の軸に沿った実装プレートの相対変位は、両方の容器ボディを単一の動きで変化させるのに十分である。後方の実装プレートは、音声伝達のための２つの孔を有し、これらの孔の各々が容器ボディの後方部材により取り巻かれるようにしてもよい。これら孔の各々には、受動型の音響放射体（ラジエータ）を設けてもよい。或る種の用途では、この受動型ラジエータを、畳み込み式のものとすることの可能な共鳴ポートに置き換えることができる。
【０００７】
なお、米国特許出願公開に係る文献のＵＳ−Ａ５，５５０，９２１は、ポータブルコンピュータのためのステレオ音源を開示しており、その音源は、２つのスピーカユニットと、両方のユニットに音響的に結合された合成チャンバとを有している。このスピーカユニットは、当該合成チャンバに回動自在に実装された堅い容器を有する。
【０００８】
さらに、フランス特許出願公開に係る文献のＦＲ−Ａ２６５０２９５は、特にディスクプレーヤ又はテープレコーダなどのオーディオ装置を開示しており、これには、分離した２つのスピーカが設けられ、これらスピーカが当該オーディオ装置の側壁部に枢動可能に実装されている。これらスピーカの各々は、伸縮式の容器が設けられている。
【０００９】
本発明によるスピーカ装置の実用的な実施例は、前記容器ボディがそれらの畳み込まれた形を呈する状態において、各容器ボディの、前記前方部材又は前記後方部材から離れた前記容器部材の全ては、それぞれ関係する前方部材及び後方部材に位置づけられる、という特徴的事項を有する。このようにして、持ち運びできる状態で非常にスリムでかつ手軽な装置が得られる。当該装置の厚さは、実装プレートの厚さ及び前方部材の厚さすなわち軸方向の長さだけで決まる。
【００１０】
他の実用的な実施例は、前記容器ボディがそれらの伸張された形を呈する状態において、各容器ボディの前記容器部材の全ては、気密性の堅い音響キャビネットを共に形成する、という特徴的な事項を有する。この実施例は、好ましくは、前記容器部材の各々は、前記実装プレートの一方に向けられた上部と他方の実装プレートに向けられた底部とを有する略切頭形円錐状ボディの形を呈する、という特徴的事項を有する。この実施例において、当該容器部材は、円錐形の部分であって、当該スピーカ装置の動作状態において互いに気密封止を形成するものである。この状態において、上部の小さな周囲が底部の大きな周囲に厳密に合致する。この円錐状ボディは、円形又は幾らか楕円形の断面を有するものとすることができる。実用的な実施例において、当該上部は、後方の実装プレートを向けられ、その底部は、前方の実装プレートに向けられる。特に音質に関して好ましい実施例は、請求項５に記載されている。
【００１１】
本発明の他の目的は、冒頭の段落において述べた種類のスピーカ装置であって、簡単な手段により当該スピーカ装置の動作ポジションにおいて気密性のある堅いキャビネットを形成する畳み込み式の引き出し可能な容器ボディを有するスピーカ装置を提供することである。
【００１２】
この目的は、本発明によるポータブルスピーカ装置により達成され、このスピーカ装置は、・音響伝達のための開口部を有する前方実装プレートと、・前記開口部を通じて音声伝達するための前記前方実装プレートに取り付けられた少なくとも１つのラウドスピーカと、・前記前方実装プレートに略平行に延びる後方実装プレートと、・互いに軸方向に変位可能な分離した複数の環状容器部材により形成された容器ボディと、を有し、前記部材のうちの前方部材は、当該１つ又は複数のラウドスピーカと取り囲む関係で前記前方実装プレートに取り付けられ、当該部材のうちの後方部材は、前記後方実装プレートに取り付けられ、当該スピーカ装置の非動作ポジションにおいて、前記実装プレートは、互いに近接して延在し、前記容器ボディは、畳み込まれた状態となり、当該スピーカ装置の動作ポジションにおいて、前記実装プレートは、互いに或る距離をおいて延在し、前記容器ボディは、伸張された状態となり音響キャビネットを形成し、前記容器部材は、前記実装プレートの一方（好ましくは前記後方実装プレート）に向けられた上部と他方の実装プレートに向けられた底部とを有する略切頭形円錐状ボディの形を呈する。
【００１３】
切頭形の容器部材に直角の傾斜角を適用することにより、容器ボディの伸張状態すなわちスピーカ装置の使用状態において高度に気密性の強固な音響キャビネットが保証される。この状況において、円錐状ボディの各々は、実装プレートに平行な面と傾斜角α（８２ないし８７度、特に好ましくは８５度）をなす円錐状壁部を有するのが好ましい。
【００１４】
一実施例において、２つのラウドスピーカが同一の前方部材により取り巻かれる。このような実施例においては、２つのラウドスピーカが、同一のキャビネットと、すなわちその伸張ポジションにおける容器ボディと共に動作する。この特徴により、請求項７に記載の装置の実施例は、ステレオ再生に適したものとなる。或いは、ステレオ音声を再生するために、各々が唯一のラウドスピーカを有する、本発明による２つのスピーカ装置を適用することも可能である。
【００１５】
本発明によるスピーカ装置に適用されるラウドスピーカは、フルレンジスピーカとすることができる。但し、音質を向上させるためには、異なる種類のスピーカを用いるのが好ましい。このため、本発明によるスピーカ装置の実施例は、請求項９に記載されているような特徴を有するものとすることができる。一例として、特にツィータなどの高周波スピーカとの組み合わせで低中周波ラウドスピーカも可能である。他の例において、中高周波ラウドスピーカは、特にバススピーカなどの低周波スピーカと組み合わせられる。他のオプションとして、本発明によるスピーカ装置に中周波ラウドスピーカ、ツィータ及びバススピーカを設けることが挙げられる。
【００１６】
なお、本発明によるポータブルスピーカ装置は、高音質再生でしかも小型の装置が要求されるポータブルコンピュータ用途やＣＤプレーヤ及びＭＰＥＧプレーヤなどの他の用途に適したものとなる。
【００１７】
また、請求項に基づいて、特許請求の範囲に記載したような特徴的な種々の事項を組み合わせてもよい。
【００１８】
本発明の上記態様及びその他の態様は、以下に記述される実施例に基づいて非限定的な例によって詳細に説明する。
【発明を実施するための最良の形態】
【００１９】
図１ないし図５に開示される本発明によるポータブルスピーカ装置には、前方実装プレート１と、２つのラウドスピーカ３ａ，３ｂと、後方実装プレート５と、２つの容器ボディ７ａ，７ｂとが設けられる。前方実装プレート１は、音響伝送のため、本文ではフロント開口部としても示される２つの開口部１ａ，１ｂを有する。ラウドスピーカ３ａ，３ｂは、フロント開口部１ａ，１ｂに実装され、前方プレート１に取り付けられており、例えば５０ないし５０００Ｈｚの動作周波数範囲を有する既知のラウドスピーカ（すなわちウーファ）とすることができる。このようなラウドスピーカは、移動可能に懸架された振動版とこの振動版を駆動するための電磁アクチュエータとを有する。後方実装プレート５は、前方実装プレート１に平行に延び、この例では、音響伝達のために本文ではリア開口部としても示される２つの孔又は開口部５ａ，５ｂが設けられる。２つの受動型ラジエータ（音響放射体）９ａ，９ｂは、リア開口部５ａ，５ｂに実装され、後方プレート５に取り付けられる。これら受動型ラジエータは、例えば６０ないし１００Ｈｚの動作周波数範囲を有するそれ自体は既知のラジエータとすることができる。このようなラジエータは、移動可能に懸装されたラジエータボディを有する。容器ボディ７ａ，７ｂの各々は、分離した複数の容器部材を有する。この例では、１１ａ１ないし１１ａ５、１１ｂ１ないし１１ｂ５により示される５つの容器部材となっている。これら容器部材は、各々が切頭形の円錐状ボディの形態を採る切片となっており、頂部すなわち最も小さい断面に近い部分は、後方実装プレート５に対向させられ、底部すなわち最も大きい断面に近い部分は、前方実装プレート１に対向させられる。本文では前方部材としても示される容器部材１１ａ１及び１１ｂ１は、例えば適切な接着手段により前方実装プレート１に取り付けられる。本文では後方部材としても示される容器部材１１ａ５及び１１ｂ５は、例えば適切な接着手段により後方実装プレート５に取り付けられる。容器部材は、ポリスチレンやＡＢＳなどの射出成形プラスチックより形成することができる。好ましくは、強化プラスチックが用いられる。前方及び後方実装プレートは、同様の材料により形成可能であるが、例えばアルミニウムなどの金属のような他の材料も可能である。
【００２０】
図１及び図３において示されるスピーカ装置の動作ポジションにおいて、２つの容器ボディ７ａ，７ｂは、音響キャビネット１３ａ，１３ｂを各々が形成する伸張形態にある。８２ないし８７度の範囲の適用される傾斜角αにより、これらキャビネットは、堅く、当該容器ボディの間の合致する接触面において気密封止される。
【００２１】
図４に示されるスピーカ装置の非動作ポジションにおいて、２つの容器ボディ７ａ，７ｂは、それらの折り畳み状態にある。このポジションにおいて、各セット１１ａ１〜１１ａ５及び１１ｂ１〜１１ｂ５の容器部材は、入れ子式に重ねて収納され、非常にコンパクトな持ち運び容易な物体を呈する。この実施例において、容器部材１１ａ２〜１１ａ５及び１１ｂ２〜１１ｂ５は、この状況ではそれぞれ前方部材１１ａ１及び１１ｂ１において伸びる。非動作状態における容器部材のがたつきを防止するため、当該装置には、制振手段が設けられており、本例の場合、発泡体パッド１５ａ及び１５ｂの形態の制振手段が設けられ、これらが、少なくとも容器部材１１ａ２〜１１ａ４及び１１ｂ２〜１１ｂ４において対向する領域で前方実装プレート１及び後方実装プレート５にそれぞれ取り付けられている。容器ボディ７ａ，７ｂの折り畳みポジションにおいて、これら容器部材は、パッド１５ａと１５ｂとの間に挟み込まれ押し付けられる。
【００２２】
スピーカ装置は、実装プレート１及び５を相対的にそれぞれ互いの方向に、容器ボディ７ａ，７ｂそれぞれの軸方向の軸７ａ１，７ｂ１に平行な移動軸に沿って移動させることにより、非動作ポジションから動作ポジションに、或いはこの逆に、変えることができる。軸７ａ１及び７ｂ１は、実装プレート１，５に実質的に直角に方位付けされる。
【００２３】
図１及び図２において特に分かるように、本発明による描かれた例のスピーカ装置には、２つの付加的なスピーカすなわち５ないし２０ｋＨｚの動作周波数範囲を有する２つのツィータ１７ａ，１７ｂが設けられる。これらツィータ１７ａ，１７ｂは、前方実装プレート１に実装される。前方実装プレート１には、例えばボリューム、ミュート及びＬＥＤのためのボタン１９ａを持つ制御パネル１９が設けられ、表示パネルが設けられるようにしてもよい。なお、図３及び図４を参照すると、前方実装プレート１は、電子部品を具備する印刷回路基板２１のような電子部材を収納するための空洞１ｃを有する。
【００２４】
図３，図４及び図５において特に分かるように、本発明による装置の描かれた例の後方実装プレート５には、蓋２５によりカバーされた電池室２３が設けられる。この室部は、図示のように、幾つかの小室部に分割可能である。なお、図５を参照すると、スイッチ２６及びＵＳＢのような接続部２７を、後方実装プレート５に設けることができる。
【００２５】
図１ないし図５に描かれた実施例には、プレート１と５とにより、また容器ボディ３ａと３ｂとにより境界づけられた領域において前方実装プレート１と後方実装プレート５との間に延びる電気的接続手段が設けられる。この電気的接続手段は、印刷回路基板２１を電池室２３に電気的に接続するように機能するものであり、幾分堅い２つのケーブル部２９ａ，２９ｂ、特に平坦なケーブル部分を有し、これらは共通の中央ヒンジボディ２９ｃを有する。このケーブル部２９ａは、ヒンジ素子３１ａにより前方実装プレート１に取り付けられ、ケーブル部２９ｂは、ヒンジ素子３１ｂにより後方実装プレート５に取り付けられる。適用される電気的接続手段は、実装プレート１及び５並びに容器ボディ７ａ及び７ｂにより形成される構成の安定性に良好な作用を呈しうるが、この適用される接続手段は、必須な部分ではない。本装置はさらに、ウーファ３ａ，３ｂ及び受動型ラジエータ９ａ，９ｂそれぞれを保護するための保護グリッド３３及び３５を具備してもよい。
【００２６】
図６ないし図８に開示される本発明によるポータブルスピーカ装置には、前方実装プレート１０１と、２つのラウドスピーカ１０３ａ及び１０３ｂと、後方実装プレート１０５と、中心軸方向の軸１０７ａを有する容器ボディ１０７とが設けられる。前方実装プレート１０１は、音響伝達のための２つの開口部１０１ａ及び１０１ｂを有し、ラウドスピーカ１０３ａ及び１０３ｂは、開口部１０１ａ及び１０１ｂをそれぞれ通じて音声伝達するために前方実装プレート１０１に固定して取り付けられる。後方実装プレート１０５は、前方実装プレート１０１に略平行して延びる。容器ボディ１０７は、分離した空洞の複数の環状容器部材、本例では５つの部材１１１ａないし１１１ｅにより形成され、これらは、互いに軸方向に移動可能なように構成される。容器部材１１１ａないし１１１ｅは、各々が円錐状のものであって、小さな円周を有しかつ後方実装プレート１０５に向けられた切頭形頂部と、大きな円周を有しかつ前方実装プレート１０１に向けられた底部とを有する部分である。容器部材１１１ａは、本文では前方部材とも呼ぶが、前方実装プレート１０１に取り付けられる。容器部材１１１ｅは、本文では後方部材とも呼ぶが、後方実装プレート１０５に取り付けられる。図７に描かれているようなスピーカ装置の動作ポジションにおいて、実装プレート１０１及び１０５は、互いに離れて延在し、容器ボディ１０７は、伸張状態にあり、気密性のある堅い構造の音響キャビネット１１３を形成する。
【００２７】
図８に描かれているようなラウドスピーカ装置の非動作ポジションにおいて、実装プレート１０１及び１０５は、互いに近い位置で延在し、好ましくは当該実装プレートが互いに接触し、容器ボディ１０７は、折り畳み状態とされ、小型のポータブルユニットを形成する。折り畳み状態を維持するためにロック装置を用いてもよい。
【００２８】
図６ないし図８に示されるラウドスピーカは、適用可能な場合において、図１ないし図５を参照して説明したラウドスピーカ装置に用いられるような部品、素子及びその他の細目を具備するようにしてもよい。これら部品、素子及び細目は、与えられている場合において、図１ないし図５に用いられるのと同じ参照符号により図６ないし図８において示される。図に描かれている第２の実施例の後方実装プレート１０５は、略平坦なプレートである。これは、電池室、スイッチ、印刷回路基板などは、前方実装プレート１０１の中及び／又は近傍に設けられることを意味している。これはまた、手段２９ａ〜２９ｃのような電気的接続手段が省略可能であることも意味している。平坦な後方実装プレートを持つ構成も、第１の実施例の変形例に適用可能である。実装プレート１０１及び１０５は、実装プレート１及び５を製造するために用いられるのと同じ材料から製造可能である。容器部材１１１ａないし１１１ｅは、第１の実施例において適用された容器部材が呈するのと同じ傾斜角αを呈するものとしてもよい。ラウドスピーカ１０３ａ及び１０３ｂの周波数範囲は、ラウドスピーカ３ａ及び３ｂの周波数範囲と同じにすることができる。本例では、ラウドスピーカ１０３ａ及び１０３ｂは、フルレンジスピーカである。或いは、付加的なスピーカ及び／又は受動型ラジエータを適用してもよい。
【００２９】
なお、前方実装プレート及び後方実装プレートに関する「実装プレート」なる表現は、過度に厳密に解釈してはならない。本明細書では、プレート状又は概してプレート状の実装部材又はフレームも意味するものである。また、実装プレートは、２つ以上のプレート状部分により構成されたり、他の例えばカバープレートなどの部品を有することも可能である。
【００３０】
また、開示した実施例は、好適な実施例といえども例を挙げて示したものに過ぎない。ラウドスピーカの形状や数、容器ボディの数、容器部材の数などに関する変更は、本発明の枠内で可能である。さらに、容器ボディの１つ又は複数を実装プレートに関して反対の方向に構成することも可能である。
【図面の簡単な説明】
【００３１】
【図１】本発明によるスピーカ装置の第１の実施例のその動作ポジションにおける透視図。
【図２】第１の実施例を示す概略的正面図。
【図３】第１の実施例を示すその動作ポジションにおける概略的断面図。
【図４】図３に描かれるような断面に対応する概略的断面にてその非動作ポジョシンにおける第１実施例を示す図。
【図５】第１の実施例を示す概略的背面図。
【図６】本発明によるスピーカ装置の第２の実施例を示す概略的正面図。
【図７】第２の実施例を示すその動作ポジションにおける概略的断面図。
【図８】図７に描かれる断面に対応する断面にて第２実施例を示すその非動作ポジョシンにおける図。
【図１】
2007534256.tif 000003
【図２】
2007534256.tif 000004
【図３】
2007534256.tif 000005
【図４】
2007534256.tif 000006
【図５】
2007534256.tif 000007
【図６】
2007534256.tif 000008
【図７】
2007534256.tif 000009
【図８】
2007534256.tif 000010
【国際調査報告】
2007534256.tif 000011
2007534256.tif 000012
2007534256.tif 000013